(57)【要約】【課題】主として、ふとん内部に適温のエアーを供給することによって就寝環境を制御する場合などに利用するふとんカバーであって、就寝環境の温度や湿度などを計測するセンサー４及び表示器具６を保持させることができるふとんカバーを実現する。【解決手段】表布１と裏布２によって掛けふとんの内外面を覆うふとんカバーにおいて、裏布内面に温度や湿度のセンサー保持部５を設けるとともに、表布１の内面に温度や湿度の表示器具保持部７を配置する。表示器具保持部７の表布には、透明部分もしくは窓孔を設けることによって外部から表示器具の表示を確認することができるようにする。ふとんカバーは、掛けふとん用だけでなく、敷きふとん用のふとんカバーに、温度や湿度のセンサー保持部を設けるとともに、カバー布の一部に表示器具保持部を配置するものであってもよい。【選択図】  図３
2004321596.tif 000002
【特許請求の範囲】
【請求項１】
表布と裏布によって掛けふとんの内外面を覆うふとんカバーにおいて、裏布内面に温度や湿度のセンサー保持部を設けるとともに、表布の内面に温度や湿度の表示器具保持部を配置し、該表示器具保持部の表布に透明部分もしくは窓孔を設けることによって外部から表示器具の表示を確認することができるようにしたことを特徴とするふとんカバー。
【請求項２】
ふとんの裾部から温風や冷風を供給するエアーコントロール用のふとんカバーであって、上辺及び側辺の上半部を縫製や接着によって袋状に接合するとともに、下辺の一部に送風ダクトが通過する部分を除いて、前記側辺の接合部分から下辺にかけてファスナーなどの開閉手段によって開閉自在としたことを特徴とする請求項１記載のふとんカバー。
【請求項３】
敷きふとんの表面を覆うふとんカバーにおいて、カバー布の内面の一部に温度や湿度のセンサー保持部を設けるとともに、カバー布の内面の一部に温度や湿度の表示器具保持部を配置し、該表示器具保持部のカバー布に透明部分もしくは窓孔を設けることによって外部から表示器具の表示を確認することができるようにしたことを特徴とするふとんカバー。
【請求項４】
敷きふとんの表面を覆うふとんカバーにおいて、カバー布の内面の一部に温度や湿度のセンサー保持部を設けるとともに、カバー布の外面の一箇所もしくは複数位置に温度や湿度の表示器具保持部を配置したことを特徴とするふとんカバー。
【発明の詳細な説明】
【０００１】
【発明の属する技術分野】
この発明は、就寝中のふとん寝床内の環境を測定するのに便利なふとんカバーの構造に関する発明である。
【０００２】
【従来の技術】
従来のふとんカバーは、掛けふとん用のふとんカバーとして袋状に形成したもの、敷きふとん用のふとんカバーとして袋状に形成したものもしくは一枚のシーツが一般的に広く利用されている。
本発明者らは、特許第２６１６８９３号公報や特許第２６３０７３３号公報に開示されるように、ふとんの内部に温風や冷風を効果的に供給することによって、最も就寝に適した環境を実現することができるエアーコントロールふとんの発明を行なっている。就寝環境を制御するには、寝床内の温度や湿度の状況を把握するのが理想的であるが、従来の寝具には就寝中の寝床内の温度や湿度を測定するのに便利なふとんカバーはなかった。
【０００３】
【特許文献１】
特許第２６１６８９３号公報
【特許文献２】
特許第２６３０７３３号公報
【特許文献３】
特開平８−１４０８０８号公報
【０００４】
【発明が解決しようとする課題】
本発明者らの発明に係る特許文献１や２に開示したエアーコントロールふとんは、供給する温風や冷風の温度と風量を制御することによって実施することが可能となる。この際、室温と供給する温風との比較によって制御することができるが、より理想的には特許文献３に開示したように、現実の就寝環境を測定し、この測定値との比較によって供給する温風の温度や風量を制御するのが望ましい。しかしながら、従来のふとんカバーを使用したのでは、このような測定をすることができなかった。
【０００５】
上記、従来技術の欠点に鑑み、主としてエアーコントロールを行なうために就寝環境を測定するのに便利なふとんカバーを提供することを目的とするものである。また別の目的は、従来のふとんに利用し現実の就寝環境を測定することを可能とするふとんカバーを提供することを目的とする発明である。
【０００６】
【課題を解決するための手段】
上記目的を達成するため、本発明は表布１と裏布２によって掛けふとん３の内外面を覆うふとんカバーにおいて、裏布２内面に温度や湿度を検知するためのセンサー４を保持するためにセンサー保持部５を設ける。また、表布１の内面に温度や湿度の表示器具６を保持するための表示器具保持部７を配置し、表示器具保持部７を配置した部分の表布１に透明部分もしくは窓孔８を設けることによって外部から表示器具６の表示を確認することができるようにする。
【０００７】
ふとんの裾部から温風や冷風を供給するエアーコントロール用のふとんカバーとするには、上辺及び側辺の上半部を縫製や接着によって袋状に接合するとともに、下辺の一部に送風機９に接続される送風ダクト１０が通過する部分を保持させて、前記側辺の接合部分から下辺にかけてファスナー１１，１１などの開閉手段によって開閉自在とする。これにより、エアーコントロール用のふとんカバーとして使用する場合に便利なものとすることができる。
【０００８】
敷きふとん側において就寝環境を測定するには、敷きふとんの表面を覆うふとんカバーにセンサーや表示器具を配置する。すなわち、敷きふとんの表面を覆うふとんカバーにおいて、カバー布１２の内面の一部に温度や湿度のセンサー保持部１３を設けるとともに、カバー布１２の内面の一部に温度や湿度の表示器具保持部１４を配置する。そして、表示器具保持部１４を配置した部分のカバー布１２に透明部分もしくは窓孔８を設けることによって、外部から表示器具６の表示を確認することができるようにする。
【０００９】
敷きふとん側において就寝環境を測定する場合は、表示器具６が必ずしもふとんカバーの下側に隠れている必要はない。そのため、敷きふとんの表面を一枚のシーツ状のカバー布で覆うもの、もしくは上下を覆うものであっても少なくとも側縁部分が開放されているふとんカバーにおいては、カバー布１２の内面の一部に温度や湿度のセンサー保持部１３を設けるとともに、カバー布１２の外面の一箇所もしくは複数位置、例えば枕もとの左右両側に温度や湿度の表示器具保持部を配置するものであってもよい。
【００１０】
【発明の実施の形態】
以下、本発明に係るふとんカバーの好ましい実施形態を、添付の図面に基づいて説明する。
図１は、本発明に係るふとんカバーを装着してエアーコントロールふとんを使用する状態の断面図であり、図２はふとんカバーのみの平面図、図３はファスナーを開けて開いた状態のふとんカバーの斜視図である。
【００１１】
図１に示すエアーコントロールふとんは、外部に配置した送風機９によってその時々の状況に応じて最適の温度にコントロールされたエアーを、送風ダクト１０を通じて掛けふとん３の内部に送風し、就寝環境を最も快適に就寝することができる環境に制御するものである。最適の就寝環境は、本発明者らの研究の結果、温度が摂氏３２度、湿度が４０％程度であることが判明しており、送風機によって供給するエアーの温度と風量を制御することによって、前記最適の就寝環境を実現することができるものである。
【００１２】
上記就寝環境を制御する前提として、就寝環境を測定し表示するのが必要かつ好ましいことになる。就寝環境を測定するには、掛けふとんの内部で測定することも考えられるが、ふとんカバーにセンサーと表示器具を配置することによって、より簡単で正確な就寝環境の測定が可能となる。したがって、第一には掛けふとんカバーに、第二には敷きふとんカバーに温度や湿度のセンサー４と、表示器具を設ける構造を工夫したものである。
【００１３】
図１ないし図３は、掛けふとんカバーの実施形態を示すもので、ふとんカバーの上半部は、表布１と裏布２の三方を縫製などの手段によって接合することによって袋状に形成し、下半部は側園に沿って配置したファスナー１１，１１の開閉によって、図３に示すように開放することができるようにしている。これにより、袋状に形成した部分に掛けふとん３の上部を挿入し、ファスナー１１，１１を閉めることで容易にふとんカバーの着脱を行なうことができる。
【００１４】
上記掛けふとん用のふとんカバーでは、就寝空間を形成する裏布２の内面に温度や湿度のセンサー保持部５を、外部に露出する表布１の内面に表示器具保持部５を形成し、表示器具６の表示を外部から読み取ることができるように、窓孔８を設ける。すなわち、裏布２の内面にセンサー４を、表布１の内面に表示器具６を保持させるとともに、センサー４と表示器具を結ぶリード線１５を掛けふとん３の側方に迂回させて接続することで、就寝環境の正確な測定と表示を合理的に行なうことができる。
【００１５】
温度や湿度のセンサー保持部１３の具体的な構造は特に限定されるものではないが、比較的小さなセンサー４が盲動しないことと、できるだけ就寝者に違和感を与えない構造とすることが好ましい。そのため、図３に示すように、簡便な構造として裏布２の内面にオス、メスいずれか一方の面ファスナー１６，１６を固定しておくとともに、オス、メスいずれか他方の面ファスナー１７，１７を備えた押圧片１８によってセンサー４を押圧することができる。このとき、センサー４をポリウレタンフォーム（スポンジ）のような柔軟な保護材１９でセンサー４をくるんでおくと、センサー４がしっかりと保持されるとともに、就寝者に対する刺激を和らげることができる。
【００１６】
センサー４をより確実に保持する構造として、図４に示すように裏布２の内面にポケット２０を形成し、この中にセンサー４を保持させる構造を工夫している。すなわち、センサー保持用のポケット２０は、センサーを保持することができるように細長に形成し、長手方向のファスナー２１によって開閉可能とし、一端からセンサー４の先端を突出させた状態でファスナー２１を閉じることでセンサーをしっかりと保持させることができるものである。このとき、センサー４は、図５に示すように切り込み２２を設けた柔軟な保護材２３によって保持させ、これをポケット２０に入れてファスナー２１を閉じることによって、盲動するようなことがなくしっかりと保持させることができる。
【００１７】
なお、センサー保持部５は、就寝環境を的確に把握することができる位置、例えばふとんカバーの中央部であって、就寝者の下半身部分に相当する位置に配置することができる。
【００１８】
センサー４で検知した温度や湿度の表示器具保持部５は、図３に示すように表布１の内面に表示器具６を収容することができる大きさのポケットとして形成し、収容した表示器具６の表示部分を外部から見ることができるように、窓孔８を設けている。窓孔８を設ける代わりに、該部分を透明材で形成するものであってもよい。図２及び図３に示す実施形態では、表示器具保持部７をふとんカバーの中央丈夫に配置している。この場合、表示器具保持部７に保持される表示器具６を、図２に示すように上方から見ることができる方向に収容することによって、就寝者自身が温度や湿度の就寝環境を確認することができる。しかしながら、これ以外の場所、例えばふとんカバーの左右両側に表示器具保持部１４，１４を配置することもできる。
【００１９】
表示器具保持部７をふとんカバーの中央部に設ける場合は、健常者が自身で観察しながら利用するのに便利である。一方、ふとんカバーの側方部分に表示器具保持部７を配置するものでは、病院などにおいて介護者が観察するのに便利である。この場合、介護者の見る位置の変化に対応することができるように表示器具保持部７を複数位置に設けておき、所望位置の表示器具保持部７を選択して使用することができるようにするのが望ましい。
【００２０】
センサー保持部及び表示器具保持部は、掛けふとんカバーだけでなく、図６に示すように敷きふとんカバーに設けることもできる。すなわち、敷きふとんカバーのカバー布１２における裏面中央部にセンサー保持部１３を設けるとともに、カバー布１２の周辺部裏面に表示器具保持部１４を設ける。表示器具保持部１４に該当する部分に、表示器具の表示を見ることができる窓孔８を設けることは、掛けふとん用のふとんカバーにおいて説明したことと同じである。当然、センサー４と表示器具６はリード線１５によって接続される。敷きふとんカバーにセンサー４を配置する場合、就寝時にセンサーが邪魔にならないように、例えば図７に示すように、両面テープの押圧片１８で押さえ込むといった、嵩張らない形態とするのが望ましい。
【００２１】
敷きふとんカバーには、全体を袋状に形成するものと、一枚の布状、いわゆるシーツの場合がある。また、敷きふとんカバーに表示器具を配置するには、就寝の邪魔にならないように、カバー布１２の周辺部分、具体的には枕もとの左右両側に配置する必要がある。袋状の敷きふとんカバーの場合は、図６に示すようにカバー布の裏面に表示器具保持部を配置する。この実施形態は、基本的には掛けふとん用のふとんカバーと共通するものである。
【００２２】
一枚のシーツ、もしくは側方が開放されているような敷きふとんカバーを利用する場合は、図８に示すように表示器具６をふとんカバーの上面に配置するのが、取り扱いや表示を確認する上において便利である。この場合、リード線１５をカバー布１２の裏面から表面に連続させる必要があるが、ふとんカバーの側方から迂回させることが可能であり、かつリード線１５を迂回させても実用上の支障を生じない。
【００２３】
敷きふとん用のふとんカバーの表面に形成する表示器具保持部１４は、例えばカバー布１２の表面に配置したオスまたはメスのいずれか一方の面ファスナー２４と、表示器具６の一部に固定し、前記面ファスナー２４と係合するオス、メスいずれか他方の面ファスナーとによって構成することができる。この場合、カバー布１２の複数位置に面ファスナー２４を配置しておくことにより、表示器具６を観察するのに都合のよい位置の面ファスナーを２４利用して表示器具６を係止させることができる。
【００２４】
以上述べた、ふとんカバーを利用することによって、就寝環境を正確に把握することができる。そして、これをエアーコントロールふとんに利用することでより正確な就寝環境の制御を行なうことが可能となる。就寝環境を正確に制御することによって、より快適な睡眠が可能となるとともに、寝たきりの老人や病人用として利用する場合は、衛生的であって、かつ床ずれの発生を効果的に防止することができるものである。
【００２５】
【発明の効果】
請求項１記載の本発明ふとんカバーによれば、掛けふとん用のふとんカバーに温度や湿度のセンサーと、その表示器具を使用に支障を生じることなく装着することができる。これにより、就寝環境を正確に把握することができるとともに、エアーコントロールふとんに利用する場合は、実際の就寝環境の計測値をもとに、より正確で理想的な就寝環境に制御することが可能となる。
【００２６】
請求項２記載の発明によれば、請求項１に記載の発明を実施する上において、ふとんカバーを開いた状態でセンサーや表示器具の着脱を行なうことができるとともに、送風機からのダクトを支障なく掛けふとんに接続することができる。したがって、エアーコントロール用の掛けふとんのふとんカバーとして、極めて使い勝手のよいものとすることができる。
【００２７】
請求項３記載の発明によれば、敷きふとん用のふとんカバーに温度や湿度のセンサーと、その表示器具を使用に支障を生じることなく装着することができる。これにより、請求項１に記載発明と同様に、就寝環境を正確に把握することができるとともに、エアーコントロールふとんに利用する場合は、実際の就寝環境の計測値をもとに、より正確で理想的な就寝環境に制御することが可能となる。
【００２８】
請求項４記載の本発明によれば、一枚のシーツ状のふとんカバーにおいて、温度や湿度のセンサーと、その表示器具を使用に支障を生じることなく装着することができる。また、表示器具保持部を複数位置に配置するものでは、介護者などが見やすい位置に、表示器具を取り付けて使用することができる。
【図面の簡単な説明】
【図１】本考案に係るふとんカバーを装着してエアーコントロールふとんを使用する状態の縦断面図、
【図２】掛けふとん用のふとんカバーの実施例であって、一部を切除して示す平面図、
【図３】図２に示す実施形態のふとんカバーであって、ファスナーを開放した状態の斜視図、
【図４】センサー保持部としてのポケットの一例を示す平面図、
【図５】図４のＡ−Ａ線断面図、
【図６】敷きふとん用のふとんカバーに本発明を実施する場合の一例を示す平面図、
【図７】図６に示す実施形態のセンサー保持部分のみの縦断面図、
【図８】敷きふとん用のふとんカバーであって、シーツ状のふとんカバーに本発明を応用した実施形態を示す平面図。
【符号の説明】
１…表布、  ２…裏布、  ３…掛けふとん、  ４…センサー、  ５…センサー保持部、  ６…表示器具、  ７…表示器具保持部、  ８…窓孔、  ９…送風機、  １０…送風ダクト、  １１…ファスナー、  １２…カバー布、  １３…センサー保持部、  １４…表示器具保持部、  １５…リード線、  １６，１７…面ファスナー、  １８…押圧片、  １９…保護材、  ２０…ポケット、  ２１…ファスナー、  ２２…切り込み、  ２３…保護材、  ２４…面ファスナー。
【図１】
2004321596.tif 000003
【図２】
2004321596.tif 000004
【図３】
2004321596.tif 000005
【図４】
2004321596.tif 000006
【図５】
2004321596.tif 000007
【図６】
2004321596.tif 000008
【図７】
2004321596.tif 000009
【図８】
2004321596.tif 000010